(57)【要約】【課題】  ゴミ箱にゴミ袋を入れて使用する際、そのゴミ箱内側一杯にゴミ袋をひろげた状態で取付けたいが、実際に丁寧におこなおうとするとゴミ箱が大きい場合は丹念に空気を追い出す作業が必要であり手間がかかる。また、取付けた後は袋の開口部をゴミ箱開口部外側周辺に下げ落として、ゴミ袋がゴミに引き込まれることが無いようにしているが、その露出したゴミ袋がゴミ箱の外見を損ねている。【解決手段】ゴミ袋をゴミ箱に取付ける際、ゴミ箱の底の形状にあわせた重り枠をゴミ袋の中にいれて落とし込み、その重さを利用して袋のたるみをのばす。さらにその重り枠を底から取り出し、ゴミ箱開口部の内側周囲に取り付けられた重り枠支持鉤にゴミ袋ごとはめ込み固定し、その重り枠の内側にいままではゴミ箱開口部周辺に下げ落としていたゴミ袋の開口部をたたみ込み格納できるため、ゴミ箱の外観を良くすることができる。【選択図】図２
2008273722.tif 000002
【特許請求の範囲】
【請求項１】
ゴミ箱の形状を底面の形状と上部開口部の形状がほぼ同じものとし、ゴミ箱にゴミ袋を入れる際、ゴミ袋の底の形状を、ゴミ箱の底の形状にあわせて
広がった状態で一時的に保定できる様に、ゴミ箱の底の内側とほぼ同じ形状で周辺構造のみの内側に何も無い枠状の重り枠を準備し、
またゴミ箱の上部開口部の内側には、前述の重り枠を底面同様に開口部内側の形状に沿ってはめ込み支持することができるように鉤状の突起をゴミ箱の上部開口部
の内側周囲の数ケ所に取り付ける、この重り枠支持鉤には、重り枠をゴミ箱開口部の形状に合わせてはめ込む際にゴミ箱開口部周囲
に広げられたままのゴミ袋の開放口側周辺も一緒に挟み込む、この状態でゴミ箱の開口部からはみ出しているゴミ袋の
上部開放口端を重り枠の内側に折下げて入れることにより、ゴミ袋をゴミ箱の内容積一杯に広げて保定することに加えてさらに、
ゴミ袋の口側をゴミ箱の中に完全に格納してゴミ箱を使用できることを特徴とするゴミ袋保定枠付きゴミ箱。
【発明の詳細な説明】
【技術分野】
【０００１】
本発明は、現状のゴミ箱に袋ごと廃棄する一般家庭および公共施設で多く使用されているゴミ袋の使用形態で、ゴミ袋をゴミ箱に
最適の状態で取り付けることが容易にできるように工夫したゴミ袋保定枠付きゴミ箱である。
【背景技術】
【０００２】
現状のゴミ箱の一般的な使用形態はゴミの収納空間を確保するための容器として機能をしており、実際の使用に当たっては
、ゴミの処分はその中に取付けられたゴミ袋に入れたままゴミ箱から引き出しゴミ袋ごと処分するといった使い方がされている。
【特許文献１】特開2002-356203
【特許文献２】特開2003-285901
【発明の開示】
【発明が解決しようとする課題】
【０００３】
ゴミ箱にゴミ袋を取り付ける際、ゴミ箱の収納空間を効率よく利用するため、出来るだけゴミ箱の中の袋を広げようとするが、実際には
ゴミ箱内の収納空間一杯（特に底の周辺部分）に袋を広げるのは難しい、その理由は袋自体が柔らかく軽い材質であるため手でゴミ箱の奥底に
押し込んでもゴミ箱との間に挟まれた空気の圧力により押し返され内側に膨れた状態になってしまう。
ゴミ箱一杯に袋を広げるには袋のあちこちを根気よくゴミ箱の内面に押し付けて空気を追い出さなければならない。
ゴミ箱が大きいと空気の量が多くなりかなりの手間を要する。
現状は、多少空気が入ったままでゴミ箱と袋の間にすきまがあってもゴミを入れればゴミの重さで自然に空気は追い出されると考え、
内側にゴミ袋が膨らんだまま使用している場合がほとんどである。
しかし実際はその状態でゴミ箱を使用すると、ゴミの投入が行なわれて底の中央付近から積み上げが始まり、袋の周囲に残った空気がゴミ袋の周辺を
膨らましゴミの積み上げられる場所をさらにゴミ箱の中央にしていることがわかる。
一定の容器に効率良く不定形のものを詰め込もうとするときはまず容器の底の周辺から入れる方が効率良く収まることは経験的に知られている。
中央に積み上げられたゴミはひとつの支えとなって周辺の隙間に詰め込む働きを阻害するため
立体の容積の大部分を占める周辺部分への詰め込みがゆるくなるためである。
このためゴミを詰め込むゴミ箱の容積が効率よく利用されないため、少ないゴミで簡単に一杯になってしまい、実際にこの状態で使用したゴミ袋を
引きだすと入っているゴミの量は丁寧にゴミ袋を広げた場合に比較して意外に少ない。
また、ゴミ箱に入れられたゴミ袋の上部開口部の状態をみると単純にゴミ箱の内側にたたみ込むとゴミに引きずり込まれてゴミ袋がゴミの下に
なってしまうのを回避するため、多くはゴミ箱開口部の外側周辺に折り返して、ずりおちた靴下のすそ口の様に下げ落とされているので、せっかく設置環境を考慮して
丁寧にデザインされたゴミ箱の外観をそこねており公共の場所で使用するものとしては見苦しい。
本発明はこれらの、ゴミ箱容積の利用効率の向上とゴミ箱からのゴミ袋のはみ出し解消を簡単なゴミ袋装着の手順で解決することを目的としたものである。
【課題を解決するための手段】
【０００４】
ゴミ箱の形状を底面の形状と上部開放口の形状がほぼ同じものとし、ゴミ箱にゴミ袋を入れる際、ゴミ袋の底の形状を、ゴミ箱の底の形状にあわせて
広がった状態で一時的に保定できる様に、ゴミ箱の底の内側とほぼ同じ形状で周辺構造のみの内側に何も無い枠状の重り枠を準備する。
ゴミ箱にゴミ袋を取付ける時はその重り枠をゴミ袋の中に入れゴミ箱底の形状に合わせて落し蓋のように置いて、ゴミ袋の底をゴミ
箱底辺の形状に合うように保定する、ゴミ袋の開口側をゴミ箱の開口部の外周にひろげて下げ落とすようにその端を周囲に沿って
下の方に軽く引けば、重り枠の重さと袋の上部をゴミ箱の開口部周辺に沿って引く力でゴミ袋のたるみが伸ばされゴミ箱内面の形状
にあわせてゴミ袋を広げることが簡単にできる。
【０００５】
ゴミ箱の上部開口部の内周には、前述の重り枠を開口部内側に沿ってはめ込み支持することができるように鉤状の突起をゴミ箱の上部開口部の内側周囲
の数ケ所に取り付ける。
重り枠によりゴミ箱底面にゴミ袋を広げ終えたら重り枠を取り出し、ゴミ箱開口部周辺につけられた重り枠を支持する鉤構造に
ゴミ箱開口部周辺に下げおとしているゴミ袋はそのままの状態で袋ごとゴミ箱開口部の形状にあわせて重り枠をはめ込む。
その状態で、ゴミ箱の周辺部にはみ出しているゴミ袋の開放口側を重り枠の内側に折込み下げ落せば。ゴミ袋は完全にゴミ箱の中に格納される。
【発明の効果】
【０００６】
ゴミ箱の容積の使用効率の向上はゴミの処分回数を少なくし、近年有料化されているゴミ袋の無駄な使用が減る、また一定の収容力に対する
ゴミ箱自体の大きさが小さくなるためゴミ箱のデザインを小さくすることができる。
ゴミ箱の容積の使用効率の向上は無駄と、その無駄がさらに生み出す無駄を削減することでありこの改善は直接的にも間接的にも多くの効果を
もたらし、日常生活をより快適なものにする。
また、ゴミ袋の開口側をゴミ箱の中にしまい込むことが出来るため、現状よくみかけるようにゴミ箱の開口部外周をずりおちた靴下のすそ口が
くるむように使用されることはなくなり視覚環境に対しても改善効果を得ることができる。
【発明を実施するための最良の形態】
【０００７】
以下本発明の実施の形態を説明する。
（イ）ゴミ箱（１）の形状は底面の形状と上部開口部の形状がほぼ同じものとする。
（ロ）ゴミ箱（１）にゴミ袋（４）を入れる際、ゴミ袋の底の形状を、ゴミ箱の底の形状にあわせて広がった状態で一時的に保定できる様に、ゴミ箱（１）
の底の内側とほぼ同じ形状で周辺構造のみの内側に何も無い枠状の重り枠（２）を準備する。
（ハ）ゴミ箱の（１）の上部開口部の内側に、（ロ）の重り枠（２）をはめ込み支持することができるように重り枠支持鉤の突起（３）をゴミ箱（１）の上部開口部の
内側周囲の数ケ所に取り付ける。
重り枠支持鉤の鉤型には、重り枠をゴミ箱開口部の形状に合わせてはめ込む際にゴミ袋の開放口周辺も一緒に挟み込み出来るような弾力性があり、
また一旦はめ込まれた重り枠（２）がゴミ袋（４）に引かれたり衝撃等で簡単にはずれ落ちないようなはめ込み構造（６）とする。
さらに内側に突起した重り枠支持鉤（３）がゴミをゴミ袋（４）ごとゴミ箱（１）から引き出す際にひっかから無いように下方向から滑らかに突起した形状とする。
本発明は以上の構成よりなっている。
本発明を活用するには、ゴミ箱（１）にゴミ袋（４）を取付ける時、その重り枠（２）を袋の中に入れゴミ箱（１）の底の形状に合わせて落し蓋のように
置いて、ゴミ袋（４）の底をゴミ箱（１）の底辺の形状に合うように保定して、ゴミ袋の開口端（７）の側をゴミ箱（１）の開口部の外周にひろげて
下げ落とすようにそのゴミ袋開口端（７）をゴミ箱（１）の開口部の周囲に沿って下の方に軽く引けば、重り枠（２）の重さと袋の上部をゴミ箱の開口部周辺
に沿って引く力でゴミ袋（４）のたるみが伸ばされゴミ箱（１）の内面の形状に沿ってゴミ袋（４）を広げることができる。
ゴミ袋（４）が広げられたら、ゴミ箱（１）の底でゴミ袋を保定していた重り枠（２）を取り出し、重り枠支持鉤（３）に、そのままゴミ箱の開口部に
ひろげられているゴミ袋（４）ごとはめ込む。重り枠（２）を重り枠支持鉤（３）に袋と共に固定できたら外側周辺に下げ落とされているゴミ袋の
開口端（７）をその重り枠（２）の内側に折込みゴミ箱（１）の内面に沿って垂らし落とす。
これによりゴミ袋はゴミ箱の内面一杯に広げて取付けられ、またゴミ袋の上部開口部は重り枠により常に口をあけた状態で保持された状態で
ゴミの下にならないように理想的な状態でゴミ箱内部に簡単に取り付けられる。
【図面の簡単な説明】
【０００８】
【図１】長方形のごみゴミ箱にゴミ袋を（４）を入れ、重り枠（２）を落とし込んだ概念図である。外側にたらし落としたゴミ袋開口端（７）を下方向に引くとゴミ箱内側のたるみがとれる。この略図では重り枠支持鉤（３）は省略されている。
【図２】長方形のゴミ箱の中に落としこまれた重り枠（２）と、上部開口部周辺に重り枠を固定する重り枠支持鉤（３）を付加した状況を示す略図である。この図ではゴミ袋（４）は省略されている
【図３】図2の拡大部分である、重り枠支持鉤（３）の三面図である。（６）の重り枠はめ込み構造は、はめ込まれた重り枠が衝撃等で簡単に浮き上がり外れないようにするものである。
【図４】ゴミ箱（１）の開口部の周辺に付加された重り枠（２）を支持する重り枠支持鉤（３）を超えてゴミ袋開口端（７）が外側に広げられた状態を示し、そのままゴミ袋を鉤構造との間に挟みこむように重り枠（２）をはめ込んだ状態を側面からみた略図である。
【図５】外側に広げられたゴミ袋（４）の開口端（７）を図４矢印の示すように外側から内側に折込み、重り枠の内側に垂らしこんでゴミ袋上部が重り枠により吊り下げ保持された状態を示す
【符号の説明】
【０００９】
１  ゴミ箱本体
２  重り枠
３  重り枠支持鉤
４  ゴミ袋
５  ゴミ箱側面壁
６  重り枠はめ込み構造
７  ゴミ袋開口端
【図１】
2008273722.tif 000003
【図２】
2008273722.tif 000004
【図３】
2008273722.tif 000005
【図４】
2008273722.tif 000006
【図５】
2008273722.tif 000007